(57)【要約】    【課題】  本発明は、適合インターフェース（２）、回転可能に配されたオペレータインターフェース（３）、ビーム屈折装置（４）及び回転可能に配されたビーム屈折ユニット（５）を有するマイクロスコープに適合するためのチューブに関する。    【解決手段】  このチューブでは、適合インターフェース（２）から来る光ビームが、ビーム屈折装置（４）を用いて回転可能に配されたビーム屈折ユニット（５）の方向に屈折し、オペレータインターフェース（３）の回転が、回転可能に配されたビーム屈折ユニット（５）の回転と強制的に結びつけられている。このチューブは、文書化インターフェース（１１）を利用するために、ビーム屈折装置（４）がビーム分割アセンブリ（６）を備えて成る事を特徴とする。  【選択図】    図１
2004212995.tif 000002
【特許請求の範囲】
【請求項１】
適合インターフェース（２）、回転可能に配されたオペレータインターフェース（３）、ビーム屈折装置（４）及び回転可能に配されたビーム屈折ユニット（５）を有するマイクロスコープに適合するためのチューブにおいて、
上記適合インターフェース（２）から来る光ビームが、上記ビーム屈折装置（４）を用いて、上記回転可能に配されたビーム屈折ユニット（５）の方向に屈折し、上記オペレータインターフェース（３）の回転が、上記回転可能に配されたビーム屈折ユニット（５）の回転と強制的に結びつけられ、
上記ビーム屈折装置（４）がビーム分割アセンブリ（６）を備えて成る事を特徴とするチューブ。
【請求項２】
請求項１に記載のチューブにおいて、上記ビーム屈折装置（４）が屈折プリズム（７）を包含し、それを用いて上記適合インターフェース（２）から来る上記光ビームが好ましくは、９０度屈折させられる事を特徴とするチューブ。
【請求項３】
請求項１又は２に記載のチューブにおいて、上記ビーム屈折装置（４）がバウエルンファイントプリズム（９）を包含し、その中で上記適合インターフェース（２）から来る光ビームが好ましくは二度反射させられる事を特徴とするチューブ。
【請求項４】
請求項２又は３に記載のチューブにおいて、上記バウエルンファイントプリズム（９）が、上記屈折プリズム（７）と上記回転可能に配されたビーム屈折ユニット（５）の間に配された事を特徴とするチューブ。
【請求項５】
請求項４に記載のチューブにおいて、光学的構成要素（１０）が上記バウエルンファイントプリズム（９）に連結されており、それを用いて、上記適合インターフェース（２）から来る上記光ビームの少なくとも一部が、文書化インターフェース（１１）及び／又は検出器に分割される事を特徴とするチューブ。
【請求項６】
請求項５に記載のチューブにおいて、上記光学的構成要素（１０）が、上記バウエルンファイントプリズム（９）に接合されたプリズムとして具体化された事を特徴とするチューブ。
【請求項７】
請求項１〜６のいずれか一項に記載のチューブにおいて、上記ビーム屈折装置（４）の光学的性質が選択でき、それによって上記チューブにおける上記ビームの光路長が適合できる事を特徴とするチューブ。
【請求項８】
請求項１〜７のいずれか一項に記載のチューブにおいて、上記ビーム分割装置（４）か少なくとも上記ビーム分割装置（４）のアセンブリが、好ましくはマガジンスライダーで案内されて、その作動位置へ及びその作動位置から運搬できる事を特徴とするチューブ。
【請求項９】
請求項１〜８のいずれか一項に記載のチューブにおいて、上記オペレータインターフェース（３）と上記回転可能に配されたビーム屈折ユニット（５）が、上記チューブ（２６）に延在する上記光ビームの光軸（８、１３）と垂直に配された回転軸（１２）周りに回転可能である事を特徴とするチューブ。
【請求項１０】
請求項１〜９のいずれか一項に記載のチューブにおいて、上記オペレータインターフェース（３）が範囲を限定された角を回転する際、上記回転可能に配されたビーム屈折ユニット（５）がその角の半分だけ回転する事を特徴とするチューブ。
【請求項１１】
請求項１〜１０のいずれか一項に記載のチューブにおいて、実質的に平行な光ビームを収束光ビームに好ましくは変換する、正の屈折力を有するレンズ装置（１４）が、上記適合インターフェース（２）と上記ビーム屈折装置（４）の間に設けられた事を特徴とするチューブ。
【請求項１２】
請求項１〜１１のいずれか一項に記載のチューブにおいて、負の屈折力を有するレンズ（１６）及び正の屈折力を有するレンズ（１７）を有する、回転可能に配されたさらなるレンズ装置（１５）が、上記回転可能に配されたビーム屈折ユニット（５）と上記オペレータインターフェース（３）の間に設けられた事を特徴とするチューブ。
【請求項１３】
請求項１２に記載のチューブにおいて、上記負の屈折力を有するレンズ（１６）が、上記回転可能に配されたビーム屈折装置（５）から来る光ビームを実質的に平行にする事を特徴とするチューブ。
【請求項１４】
請求項１３に記載のチューブにおいて、上記正の屈折力を有するレンズ（１７）及び上記オペレータインターフェース（３）を包含するアセンブリ（１８）が伸縮可能であり、好ましくは、上記アセンブリ（１８）に延在する上記光ビームの光軸（１３）の方向に伸縮可能である事を特徴とするチューブ。
【請求項１５】
請求項１〜１４のいずれか一項に記載のチューブにおいて、上記オペレータインターフェース（３）が、オペレータが目で見るための、両眼要素の形式で具体化された事を特徴とするチューブ。
【発明の詳細な説明】
【技術分野】
【０００１】
本発明は、マイクロスコープに適合するためのチューブに関する。このマイクロスコープは、適合インターフェース、回転可能に配されたオペレータインターフェース、ビーム屈折装置及び回転可能に配されたビーム屈折ユニットを有する。適合インターフェースから来る光ビームはビーム屈折装置によって、回転可能に配されたビーム屈折ユニットの方向に屈折し、オペレータインターフェースの回転は、回転可能に配されたビーム屈折ユニットの回転に強制的に結びつけられている。
【背景技術】
【０００２】
この種のチューブは既存技術からすでに公知であり、回転可能に配されたオペレータインターフェースの特性のため、「人間工学的」チューブとも呼ばれている。「オペレータインターフェース」は、本発明の目的のために、マイクロスコープのオペレータが見るのに役立つチューブの一部を意味する。オペレータインターフェースは回転可能に配されるので、マイクロスコープのオペレータは例えば、自身の必要に合わせて視角をそれぞれ調節できる。回転角度が使用者の都合に合わせて調節でき、ゆえにチューブの見る高さが特定の使用者に適合できるので、回転可能に配されたオペレータインターフェースにより、マイクロスコープを用いて人間工学的な動作が可能になる。
【０００３】
ビーム屈折装置が、適合インターフェースから来る光ビームを、回転可能に配されたビーム屈折ユニットの方向に屈折させる。これによってチューブにおけるこれら構成要素の配置の順序が定められる。ゆえに、ビーム屈折装置は、適合インターフェースと回転可能に配されたビーム屈折ユニットの間に配される。回転可能に配されたビーム屈折ユニットは、オペレータインターフェースとビーム屈折装置の間に配される。
【０００４】
この種のチューブを開示する例として特許文献１にだけ触れる。このチューブは、例えばテレビカメラや写真装置のような文書化ユニットをそこに取り付ける可能性を備えていない点で不利である。
【０００５】
【特許文献１】EP 0844505A2
【発明の開示】
【発明が解決しようとする課題】
【０００６】
ゆえに本発明の目的は、光学的な文書化インターフェースを利用できるようにする種のチューブを記述し、さらに発展させる事である。
【課題を解決するための手段】
【０００７】
本発明に従う種のチューブは、請求項１の特徴によって前述の目的を達成する。後者に従えば、マイクロスコープに適合するためのこの種類のチューブは、ビーム屈折装置がビーム分割アセンブリを有する点で特徴づけられる。
【０００８】
先ず本発明によって確認された事は、ビーム分割がビーム屈折装置に関連して備えられるという事実によって、文書化インターフェースが利用できる事である。チューブのこの点におけるビーム分割は、回転可能に配されたオペレータインターフェースのさらなる光路にほとんど影響を及ぼさず、それで本発明に従うチューブの人間工学的な機能性がとりわけ有利に保証される。オペレータインターフェースの回転の結果、ビーム屈折装置の領域において光路や光ビームは動かず、またビーム分割アセンブリは移動可能に配された光路に適合する必要が無いので、単純な構成の手段を用いてさらに有利にビーム分割を行う事ができる。
【０００９】
結局ビーム分割アセンブリによって、チューブに設けられた文書化インターフェースに導かれる分割された光路がチューブにおいて利用できる。従って、例えばテレビカメラや撮影ユニットがその文書化インターフェースに適合される。ゆえに、マイクロスコープのオペレータがチューブの中を見て試料を調べる事と、例えば文書化インターフェースに適合したテレビカメラやＣＣＤカメラを用いて試料像を得る事により、調べられた試料が文書（写真）に記録される事との両方が、都合良く可能である。
【００１０】
普通はマイクロスコープの対物レンズから来る光ビームは、チューブの方へ鉛直方向に延びる。チューブが正立マイクロスコープに適合されるならば、試料及びマイクロスコープの対物レンズから来る光ビームは、鉛直方向に上向きに延びる。逆に倒立マイクロスコープの場合は、試料から来る光ビームは初めは鉛直下向きに延びる。次いで光ビームは屈折させられるので、それは鉛直上向きに適合インターフェースへ延びる。ゆえに、具体的な実施形態では、マイクロスコープの対物レンズ及び適合インターフェースから来る光ビームを初めに屈折させるように構成されている。好ましい実施形態では、ビーム屈折装置はこの目的のために屈折プリズムを包含し、それを用いて光ビームが好ましくは９０度屈折させられる。屈折プリズムの代わりに反射鏡もまた設けられる。従って次に、屈折させられた光ビームの光軸は水平面に延びる。ビーム屈折装置の屈折プリズムは好ましくは、屈折させられた光ビームがマイクロスコープのオペレータから離れて延びるように、すなわち、オペレータから離れる方へ向かってマイクロスコープの端へ延びるように配される。
【００１１】
具体的には、ビーム屈折装置はバウエルンファイントプリズム（Bauernfeind prism）を包含し、適合インターフェースから来る光ビームがその中で好ましくは二度反射させられる。バウエルンファイントプリズムは、非常に少量で二度の内部の反射を行う光学的構成要素である。好ましくは偶数回の反射（すなわち、０、２、４など）だけがもたらされなければならないので、一つの構成要素における二度の反射は有利である。それで見慣れた（すなわち、左右の合った）マイクロスコープの像が、マイクロスコープのオペレータに与えられる。回転可能に配されたビーム屈折ユニット及び屈折プリズムにおける反射と合わせて、結局四度の反射がある。これにより、本発明に従うチューブのコンパクトな構成が可能となる。
【００１２】
バウエルンファイントプリズムは好ましくは、ビーム屈折装置の屈折プリズムと回転可能に配されたビーム屈折ユニットの間に配される。具体的には、マイクロスコープの対物レンズ及び適合インターフェースから来る鉛直方向に延びる光ビームが、屈折プリズムによって９０度屈折させられる。次にこの屈折させられた光ビームは、屈折プリズムの後ろに配されたバウエルンファイントプリズムを通過し、その際光ビームはバウエルンファイントプリズムで二度反射され、次いで回転可能に配されたビーム屈折ユニットに導かれる。ここで、回転可能に配されたビーム屈折ユニットの位置で、バウエルンファイントプリズムから来る光ビームが１１０度よりも大きい入射ビームと反射ビーム間の角度を示さないように、光路が構成される。
【００１３】
とりわけ好ましい実施形態において、光学的構成要素がバウエルンファイントプリズムと連結されている。この光学的構成要素を用いて、適合インターフェースから来る光ビームの少なくとも一部が、文書化インターフェース及び／又は検出器へ分割される。ゆえに光学的構成要素は、バウエルンファイントプリズムと組み合ってビーム分割アセンブリを形成する。光学的構成要素は好ましくは、バウエルンファイントプリズムに接合されたプリズムとして具体化される。従って、これは二つの光学的構成要素間の、光学では普通の結合（join）であり、それは比較的単純な構成の手段を用いて実行される。バウエルンファイントプリズムに対するプリズムの光学的結合という具体的な構成の結果、それと同時に、文書化インターフェースへ分割された光ビームと、回転可能に配されたビーム屈折ユニットへ導かれた光ビームとの間の分割比が定められる。例えば１：１の分割比が実行される。これは具体的には、結合操作に先立って、適切な干渉コーティングが後の結合においてバウエルンファイントプリズムに塗布されるという事実によって保障される。
【００１４】
ビーム屈折装置の個々の要素は好ましくは、プリズムの形式で具体化される（すなわち、ガラスでできている）。好ましい実施形態では、それによってチューブにおけるビームの光路長が適合できるように、ビーム屈折装置の光学的性質を選択できるよう構成されている。これにより、チューブにおける他の光学的構成要素間の比較的短い光路が達成され、特に有利によりコンパクトな構成でさえ可能になる。
【００１５】
ある適用では、試料から来る全ての光をマイクロスコープのオペレータの目に導く必要がある。他方で特に、低い試料光度を用いた適用（例えば、蛍光顕微鏡検査法）に対しても同様に、試料から来る全ての光を文書化インターフェースやＣＣＤカメラに導く必要がある。
【００１６】
ビーム分割装置（すなわち、例えばバウエルンファイントプリズムと、バウエルンファイントプリズムに連結された光学的構成要素）がその作動位置から運搬されるならば、別な光学的構成要素か、光ビームをチューブのオペレータインターフェースか文書化インターフェースのどちらかに導く屈折要素が、その場所に導入される。好ましくは、全ビーム分割装置（すなわち、例えばバウエルンファイントプリズムとバウエルンファイントプリズムと連結された光学的構成要素）がその作動位置から運搬され、適合インターフェースから来る光ビームを文書化インターフェースへ導く、ガラスでできた別な光学的構成要素（例えば、ガラスブロック）が、それの代わりに運ばれる。その際、光ビームがそこへ進んだ光路が、全ビーム分割装置において光ビームが進んだ光路と実質的に一致するように、他の光学的構成要素が具体化される。
【００１７】
具体的には、ビーム分割装置はバウエルンファイントプリズムと、バウエルンファイントプリズムに結合されたプリズムを有し、バウエルンファイントプリズムとプリズムの共有面は、１：１の分割比を実行するコーティングを備えている。ビーム分割装置は光軸と垂直方向に取替え可能に配され、例えばマガジンガイド（magazine guide）により案内されて、ビーム経路から取り外す事ができる。第一の位置では、ビーム分割装置はビーム経路に位置し、それで光の５０％はオペレータインターフェースに導かれ、光の５０％は文書化インターフェースに導かれる。第二の位置では、ビーム分割装置はビーム経路から外され、その場所でバウエルンファイントプリズムはビーム経路に案内される。このプリズムは、適合インターフェースから来る全ての光がバウエルンファイントプリズム内で二度反射され、オペレータインターフェースへ屈折させられるように、一方の面を反射しやすくコーティングされている。第三の位置では、バウエルンファイントプリズムとプリズムはビーム経路に案内され、バウエルンファイントプリズムとプリズムの共有面は、全光ビームが反射せずに二つの要素を通過し、文書化インターフェースに導かれるように、コーティングを用いて具体化されている。
【００１８】
光ビームの一部分は文書化インターフェースの方向へ分割され、光ビームの他の部分はオペレータインターフェースの方向へ分割される状態が、ビーム分割装置を又は少なくともビーム分割装置のアセンブリをその作動位置に案内する事で、再び創出される。ビーム分割器を作動位置へ及び作動位置から運搬する事は、具体的にはマガジンスライダー（magazine slider）を用いて達成される。このスライダーは、例えば、回転可能に配されたオペレータインターフェースを有しない従来のマイクロスコープチューブで用いられている。
【００１９】
とりわけ好ましい実施形態において、オペレータインターフェース及び回転可能に配されたビーム屈折ユニットは、回転軸周りに回転できる。回転軸は、チューブ内に延びる光ビームの光軸と垂直に配されている。オペレータインターフェースの回転と、回転可能に配されたビーム屈折ユニットの回転の間の強制的な結びつきのために、オペレータインターフェースの回転の際に、回転可能に配されたビーム屈折ユニットとオペレータインターフェースの間に延びる光ビームもまた回転又は旋回する。他方で、適合インターフェースから来て回転可能に配されたビーム屈折ユニットへ延びる光ビームは動かない。普通はチューブ内に延びる光ビームの光軸は全て一つの面内にあり、それでオペレータインターフェース及び回転可能に配された屈折ユニットの回転軸は、その面と垂直に配される。具体的には回転軸は、適合インターフェースから来て回転可能に配されたオペレータインターフェースへ延びる光ビームの光軸が、回転可能に配されたビーム屈折ユニットにぶつかる地点に位置する。回転可能に配されたビーム屈折ユニットは、原則として、反射鏡の形式で具体化される。ゆえに回転軸は反射鏡表面に、特に適合インターフェースから反射鏡へ延びる光ビームの光軸が反射鏡にぶつかる所に位置する。
【００２０】
具体的には、オペレータインターフェースが範囲を定められた角度を回転する際、回転可能に配されたビーム屈折ユニットはその半分の角度を回転する事になる。言い換えれば、例えばオペレータインターフェースが４５度回転させられる時、回転可能に配されたビーム屈折ユニットは２２．５度回転させられる。オペレータインターフェースと回転可能に配されたビーム屈折ユニット間のこの強制的な連結は、例えば適切な減速比を有するリンケージやギアシステムを用いて達成される。
【００２１】
マイクロスコープのマイクロスコープ対物レンズから来る光ビームは普通、いわゆる無限ビームの形式を有する。これは、それにも関わらず僅かに発散する実質的に平行なビーム形である。僅かな発散は、各試料点から出て来る光がマイクロスコープの対物レンズによって、平行な個々の光ビームに変換されるという事実に起因する。これはマイクロスコープの対物レンズの試料面における全ての試料点に当てはまるので、平行な個々の光ビームは、それらの伝播方向において互いに相対的に僅かに発散し（特にフィールドに延びる個々の光ビームに関しては光軸に対して発散し）、マイクロスコープの対物レンズのひとみ全体にわたって得られる。このビームの発散のために、ビームの直径は、マイクロスコープの対物レンズからの距離が増えると共に連続して大きくなる。それで、ビーム形が実質的に変化しないならば、チューブのコンパクトな構成が可能でなくなる。術語「光ビーム」は以下では、マイクロスコープの対物レンズのひとみから延びる個々の光ビームの全体を意味する。
【００２２】
具体的な実施形態では、好ましくは実質的に平行な光ビームを収束光ビームに変換する、正の屈折力を有するレンズ装置が、適合インターフェースとビーム屈折装置の間に設けられる。結局、チューブ内で延びる光ビームはとにかくもはや発散を示さず、外側の端で延びる個々の光ビームはさらなる発散を示さない。それで、チューブのコンパクトな構成が都合良く達成できる。従ってレンズ装置の屈折力は、少なくともチューブ内で延びる光ビームがもはや発散しないように、選択される。
【００２３】
本発明に従うチューブは好ましくは、回転軸からオペレータインターフェースまでの距離が、オペレータインターフェースの回転によりチューブの人間工学的調整を可能にする値を有するように具体化される。普通はその値は２０〜４０ｃｍである。負の屈折力を有するレンズ及び正の屈折力を有するレンズを包含する、回転可能に配されたさらなるレンズ装置が、回転可能に配されたビーム屈折ユニットとオペレータインターフェースの間に設けられる。負の屈折力を有するレンズは、それが実質的にビーム屈折装置から来る光ビームを平行にするように、すなわちそれを無限ビームに変換するように寸法決めされる。
【００２４】
とりわけ好ましい実施形態では、さらなるレンズ装置の二つのレンズ間に延びる無限ビーム経路の結果、チューブのアセンブリが伸縮可能であり、又は引っ張り出す事ができる。伸縮可能なアセンブリは、正の屈折力を有するレンズ及びオペレータインターフェースを包含する。ゆえに、さらなるレンズ装置の二つのレンズ間の距離は、アセンブリを押したり引っ張り出したりする事で変えられる。
【００２５】
アセンブリは好ましくは、アセンブリ内で延びる光ビームの光軸の方向に伸縮可能である。ゆえに、光ビームを屈折させる付加的要素は必要でない。回転可能に配されたオペレータインターフェースと組み合った伸縮可能なアセンブリの結果、本発明に従うチューブはとりわけ都合良くオペレータの要求にそれぞれに適合し、マイクロスコープから来る光ビームの一部は文書化インターフェースの方へ導かれる。
【００２６】
すでに示されたように、オペレータインターフェースは、オペレータが目で見るための両眼要素の形式で具体化される。これに関連して、二つの接眼レンズは互いの間隔に対して通常の方法で変更できる。それで、見るための接眼レンズがオペレータの眼間距離に適合できる。これは、例えば既存技術から知られているジーデントプフの原理（the Siedentopf principle）を用いて達成される。
【００２７】
本発明の内容を有利に具体化し発展させるには色々な方法がある。そのために、一方では請求項１が、他方では図に関する本発明の好ましい例示の実施形態の以下の説明が参照される。図に関する本発明の好ましい例示の実施形態の説明と共に、本発明の一般的に好ましい実施形態及び発展もまた説明される。
【発明を実施するための最良の形態】
【００２８】
図１に示されたチューブ２６はマイクロスコープ１（一部だけ図示する）に適合するよう構成される。ゆえに、図１に示されたチューブは原則的に、倒立マイクロスコープ又は正立マイクロスコープのチューブチェンジャーに設けられ得る。チューブ２６は、マイクロスコープ１に適合するための適合インターフェース２を有する。さらにチューブは、図示された又は二つの異なる回転位置で示された、回転可能に配されたオペレータインターフェース３を包含する。さらにチューブは、適合インターフェース２から来る光ビームを、回転可能に配されたビーム屈折ユニット５の方向に屈折させるビーム屈折装置４を包含する。オペレータインターフェース３の回転は、回転可能に配されたビーム屈折ユニット５の回転に強制的に結びつけられている。
【００２９】
本発明に従って、ビーム屈折装置４はビーム分割アセンブリ６を有する。
ビーム屈折装置４は屈折プリズム７を包含しており、それにより適合インターフェース２から来る光ビームが先ず９０度屈折させられる。この光ビームの光軸８だけが点線を用いて示される。さらにビーム屈折装置４がバウエルンファイントプリズム９を包含しており、その中で適合インターフェース２から来る光ビームが二度反射させられる。
【００３０】
バウエンルンファイントプリズム９は屈折プリズム７と回転可能に配されたビーム屈折ユニット５の間に配される。光学的構成要素１０がバウエルンファイントプリズム９と結合されており、それにより、適合インターフェース２から来る光ビームの少なくとも一部が文書化インターフェース１１へ分割され得る。ここで光学的構成要素１０は、バウエルンファイントプリズム９に接合されたプリズムとして具体化される。
【００３１】
回転可能に配されたオペレータインターフェース３と回転可能に配されたビーム屈折ユニット５は、共有する回転軸１２周りに回転できる。回転軸１２は、適合インターフェースから来る光ビームの光軸８と垂直に配される。加えて回転軸１２は、回転可能に配されたビーム屈折ユニットと回転可能に配されたオペレータインターフェース３の間に延びる光ビームの光軸１３と垂直に、すなわち図面と垂直に配されている。
【００３２】
図１は二つの異なる角度位置にあるオペレータインターフェース３を示す。一つの位置では、光軸１３の大部分が水平に配されている。ゆえに、オペレータインターフェース３は０度の回転角度に位置している。オペレータインターフェースの第二の描写は、それが回転軸１２周りに３０度回転した事を示しており、回転可能に配されたビーム屈折ユニット５の角度位置は、オペレータインターフェース３の第二の回転位置に対応する。
【００３３】
正の屈折力を有するレンズ装置１４が、適合インターフェース２とビーム屈折装置４の間に設けられている。レンズ装置１４は、マイクロスコープから適合インターフェース２を通る、実質的に平行だが僅かに発散する光ビーム（いわゆる無限ビーム）を、収束光ビームに変換する。結局本発明によって、レンズ装置１４の後ろに配された光学的構成要素は比較的小さな寸法になり、チューブ２６のコンパクトな構成が可能になる。
【００３４】
回転可能に配されたさらなるレンズ装置１５が、ビーム屈折装置４とオペレータインターフェース３の間に設けられている。このさらなるレンズ装置１５は、負の屈折力を有するレンズ１６と正の屈折力を有するレンズ１７を包含する。いわゆる無限ビームは、負の屈折力を有するレンズ１６と正の屈折力を有するレンズ１７の間に存在する。中間像２５もまた、回転可能に配されたオペレータインターフェース３において、正の屈折力を有するレンズ１７によって作られる。
【００３５】
図１に示されたチューブ２６は、正の屈折力を有するレンズ１７とオペレータインターフェース３と共に、伸縮可能に配されたアセンブリ１８を包含する。アセンブリ１８は、アセンブリ内に延びる光ビームの光軸１３の方向に伸縮可能である。この方向は双方向矢印１９によって示される。
【００３６】
３０度の角度位置で示されたオペレータインターフェース３は、０度の位置で示されたオペレータインターフェース３と比べて、引っ張られた状態で示される。これは、３０度の角度位置における二つのレンズ１６、１７の大きくなった間隔から明らかである。他方で、０度の角度位置における二つのレンズ１６、１７の間隔は比較的小さい。図１に示された例示の実施形態において、伸縮可能なアセンブリは最大３０ｃｍまで引っ張る事ができる。
【００３７】
オペレータインターフェース３は、オペレータが目で見るために、両眼要素の形式で具体化されており、図１においてチューブ２６は横断面図で描かれているので一つの接眼レンズ２０だけが示されている。接眼レンズ２０の射出ひとみが参照符号２１で示される。
【００３８】
光学的構成要素１０により、屈折する事なくバウエルンファイントプリズム９を通過する光の一部が、屈折要素２２によって９０度屈折させられ、中間像２４を創出する正の屈折力を有するレンズグループ２３を通過する。
【００３９】
文書化インターフェース１１は中間像２４から距離Ａの所に位置し、その上にテレビアダプターとカメラアダプターが設けられ得る。
最後に、上で論じた例示の実施形態は特許請求された内容を述べるに過ぎず、本発明はその例示の実施形態に限定されない事を特に言い添える。
【図面の簡単な説明】
【００４０】
【図１】本発明に係るチューブの例示の実施形態を表す概要的な横断面図である。
【符号の説明】
【００４１】
１  マイクロスコープ
２  適合インターフェース
３  回転可能に配されたオペレータインターフェース
４  ビーム屈折装置
５  回転可能に配されたビーム屈折ユニット
６  ビーム分割アセンブリ
７  屈折プリズム
８  （２）から来る光ビームの光軸
９  バウエルンファイントプリズム
１０  光学的構成要素
１１  文書化インターフェース
１２  （３）及び（５）の回転軸
１３  （５）と（３）の間に延びる光ビームの光軸
１４  レンズ装置
１５  さらなるレンズ装置
１６  負の屈折力を有する（１５）のレンズ
１７  正の屈折力を有する（１５）のレンズ
１８  伸縮可能なアセンブリ
１９  伸縮可能に配された（１８）に沿う方向
２０  接眼レンズ
２１  （３）の接眼レンズの射出ひとみ
２２  屈折要素
２３  正の屈折力を有するレンズグループ
２４  中間像
２５  （３）における中間像
２６  チューブ
【図１】
2004212995.tif 000003